(57)【特許請求の範囲】
【請求項１】
表て面シート（１Ａ）・裏面シート（１Ｂ）によって形成される開口部（６）の内面に、対向状に配設された雄部（２）と雌部（３）から成るファスナー（４）を備えている収納袋に於て、
細長帯状の極薄帯片（５）が、上記ファスナー（４）と直交する方向に上記開口部（６）に差し込まれて、上記ファスナー（４）の長手方向の一部位に、該極薄帯片（５）が介在し、
上記極薄帯片（５）は、上記ファスナー（４）の長手方向の上記一部位から引抜自在とし、その厚さ寸法（ｔ）が、上記表て面シート（１Ａ）・裏面シート（１Ｂ）の厚さ寸法より小さく設定された極薄状であり、かつ、全体が均一な厚さ寸法（ｔ）に形成され、
上記極薄帯片（５）が介在した上記ファスナー（４）の長手方向の上記一部位に於て、上記極薄帯片（５）が上記雌部（３）を押し広げて変形させることなく、上記雄部（２）と上記雌部（３）が正規係合姿勢を保ち、
上記極薄帯片（５）を指で掴んで引張力（Ｆ）を付与すると、上記極薄帯片（５）が介在した上記ファスナー（４）の上記一部位にて上記雄部（２）と上記雌部（３）の係合を部分的に解除すると共に上記極薄帯片（５）が上記ファスナー（４）の上記一部位から抜き去られ、上記ファスナー（４）の上記雄部（２）と上記雌部（３）の係合の解除を開始するための起点を上記一部位に形成するように構成されたことを特徴とする収納袋。
【請求項２】
表て面シート（１Ａ）・裏面シート（１Ｂ）によって形成される開口部（６）の内面に、開口端縁（６ａ）近傍にて対向状に配設された雄部（２）と雌部（３）から成るファスナー（４）を備えており、該ファスナー（４）を開閉するためのスライダー（８）の取付けが予定されるスライダー付設用収納袋に於て、
細長帯状の極薄帯片（５）が、上記ファスナー（４）と直交する方向に上記開口部（６）に差し込まれて、上記ファスナー（４）の長手方向の一部位に、該極薄帯片（５）が介在し、
上記極薄帯片（５）は、上記ファスナー（４）の長手方向の上記一部位から引抜自在とし、その厚さ寸法（ｔ）が、上記表て面シート（１Ａ）・裏面シート（１Ｂ）の厚さ寸法より小さく設定された極薄状であり、かつ、全体が均一な厚さ寸法（ｔ）に形成され、
上記極薄帯片（５）が介在した上記ファスナー（４）の長手方向の上記一部位に於て、上記極薄帯片（５）が上記雌部（３）を押し広げて変形させることなく、上記雄部（２）と上記雌部（３）が正規係合姿勢を保ち、
上記極薄帯片（５）を指で掴んで引張力（Ｆ）を付与すると、上記極薄帯片（５）が介在した上記ファスナー（４）の上記一部位にて上記雄部（２）と上記雌部（３）の係合を部分的に解除すると共に上記極薄帯片（５）が上記ファスナー（４）の上記一部位から抜き去られ、上記開口端縁（６ａ）近傍に設けられた上記ファスナー（４）の上記一部位にスライダー取付用起点を形成するように構成されたことを特徴とするスライダー付設用収納袋。
【発明の詳細な説明】
【技術分野】
【０００１】
本発明は、収納袋及びスライダー付設用収納袋に関する。
【背景技術】
【０００２】
従来、開口部の内側にファスナーを付設した収納袋が知られている（特許文献１参照）。
【先行技術文献】
【特許文献】
【０００３】
【特許文献１】特開２０１３−４３６７６号公報
【発明の概要】
【発明が解決しようとする課題】
【０００４】
しかし、特許文献１記載の収納袋は、ファスナーを開閉するためのスライダーを取付ける構造であって、スライダーが未取着状態の多数の袋に、手作業にて次々とスライダーを取着する際、（開口端縁に余裕を設けることなくファスナーが取着されている為、）作業者が、手指でファスナーを開けようとしても開けるのが難しく、手間が掛かり、スライダーの取付けの作業能率が悪くなるという欠点があった。
【０００５】
また、開口端縁に余裕を持ってファスナーを取着した収納袋であって、スライダーを付設しないファスナーの場合には、内部に収納物を投入する際、閉じたファスナーを手指で開けるのには手間が掛かり、収納物投入作業の能率を悪化させる原因となっていた。
【０００６】
そこで、本発明は、閉じたファスナーを容易かつ迅速に開くことのできる収納袋を提供することを目的とする。
【課題を解決するための手段】
【０００７】
本発明に係る収納袋は、表て面シート・裏面シートによって形成される開口部の内面に、対向状に配設された雄部と雌部から成るファスナーを備えている収納袋に於て、細長帯状の極薄帯片が、上記ファスナーと直交する方向に上記開口部に差し込まれて、上記ファスナーの長手方向の一部位に、該極薄帯片が介在し、上記極薄帯片は、上記ファスナーの長手方向の上記一部位から引抜自在とし、その厚さ寸法が、上記表て面シート・裏面シートの厚さ寸法より小さく設定された極薄状であり、かつ、全体が均一な厚さ寸法に形成され、上記極薄帯片が介在した上記ファスナーの長手方向の上記一部位に於て、上記極薄帯片が上記雌部を押し広げて変形させることなく、上記雄部と上記雌部が正規係合姿勢を保ち、上記極薄帯片を指で掴んで引張力を付与すると、上記極薄帯片が介在した上記ファスナーの上記一部位にて上記雄部と上記雌部の係合を部分的に解除すると共に上記極薄帯片が上記ファスナーの上記一部位から抜き去られ、上記ファスナーの上記雄部と上記雌部の係合の解除を開始するための起点を上記一部位に形成するように構成されたものである。
【０００８】
また、本発明に係るスライダー付設用収納袋は、表て面シート・裏面シートによって形成される開口部の内面に、開口端縁近傍にて対向状に配設された雄部と雌部から成るファスナーを備えており、該ファスナーを開閉するためのスライダーの取付けが予定されるスライダー付設用収納袋に於て、細長帯状の極薄帯片が、上記ファスナーと直交する方向に上記開口部に差し込まれて、上記ファスナーの長手方向の一部位に、該極薄帯片が介在し、上記極薄帯片は、上記ファスナーの長手方向の上記一部位から引抜自在とし、その厚さ寸法が、上記表て面シート・裏面シートの厚さ寸法より小さく設定された極薄状であり、かつ、全体が均一な厚さ寸法に形成され、上記極薄帯片が介在した上記ファスナーの長手方向の上記一部位に於て、上記極薄帯片が上記雌部を押し広げて変形させることなく、上記雄部と上記雌部が正規係合姿勢を保ち、上記極薄帯片を指で掴んで引張力を付与すると、上記極薄帯片が介在した上記ファスナーの上記一部位にて上記雄部と上記雌部の係合を部分的に解除すると共に上記極薄帯片が上記ファスナーの上記一部位から抜き去られ、上記開口端縁近傍に設けられた上記ファスナーの上記一部位にスライダー取付用起点を形成するように構成されたものである。
【発明の効果】
【０００９】
本発明の収納袋及びスライダー付設用収納袋によれば、極薄帯片を引っ張って、閉じたファスナーが開くきっかけを作ることができる。ファスナーの長手方向の一部位にて、雄部と雌部の係合を解除して、その一部位を起点としてファスナー全体を容易かつ迅速に開くことができ、手作業の能率を向上できる。あるいは、上記一部位にスライダーを容易に取付けできる。また、収納物を入れる際に、ファスナーを容易かつ迅速に開けることができ、収納物投入作業の時間を短縮できる。犯罪防止や衛生管理を目的として好適に利用できる。
【図面の簡単な説明】
【００１０】
【図１】本発明の実施の一形態の要部を示した正面図である。
【図２】要部拡大断面側面図である。
【図３】要部拡大断面側面図である。
【図４】要部拡大断面側面図である。
【図５】要部拡大断面側面図である。
【図６】本発明の収納袋に取付けるスライダーを示す斜視図である。
【図７】本発明の他の実施形態の要部を示した正面図である。
【図８】開口部を示す平面図である。
【図９】比較例を示す拡大断面側面図である。
【発明を実施するための形態】
【００１１】
以下、実施の形態を示す図面に基づき本発明を詳説する。
図１と図２に示すように、本発明の（スライダー付設用）収納袋は、表て面シート１Ａと裏面シート１Ｂの左右両端縁をシールして、上端縁に開口部６が形成された袋体１を備え、開口部６の内面に、開口端縁６ａに余裕を持たせることなく（開口端縁６ａぎりぎりに）ファスナー４を設けてある。
ファスナー４は、凸条部１２が形成された雄部２と、凸条部１２が係脱自在に嵌込まれる係合凹溝１３が設けられた雌部３と、から成る。凸条部１２は、断面視キノコ形状に形成され、細長い柄部１２ａの先端に幅の広いカサ部１２ｂを有し、カサ部１２ｂは、断面視で、袋の開口側の小凸部２４ａが緩やかに（鈍角に）膨出状として形成され、かつ、袋の奥側の小凸部２４ｂが鋭く（鋭角に）突出状に形成されている。係合凹溝１３は、雌部３の内面に突設された袋の開口側の第１突条部２１と、袋の奥側の第２突条部２２とによって形成され、第１突条部２１・第２突条部２２が先端縁に向うにつれて次第に接近し、さらに、第１突条部２１・第２突条部２２の先端縁には、凸条部１２先端のカサ部１２ｂを係止するための係止片部２１ａ，２２ａが形成されている。ファスナー４は、ＰＰやＰＥ等の軟質合成樹脂から成り、表て面シート１Ａと裏面シート１Ｂの内面に、雄部２と雌部３が対向状となるように配設され、袋体１の全幅（幅方向の全長）にわたって溶着されている。なお、袋体１は、熱可塑性の合成樹脂から成り、「溶着」とは、熱と押圧力を加えることにより、接着剤を用いずに、合成樹脂（具体的には、表て面シート１Ａ・裏面シート１Ｂ及びファスナー４）を相互に接合する加工であり、「熱圧着」あるいは「熱溶着」と言い換えることもできる。
【００１２】
袋体１の開口部６には、極薄帯片５が差し込まれ、ファスナー４の長手方向の一部位に、極薄帯片５を介在させている。
極薄帯片５は、ＰＥ等の軟質合成樹脂から成り、細長帯状に形成されている。極薄帯片５は、上部５ａが袋体１の開口部６から突出した状態とし、中間部がファスナー４の雄部２と雌部３に挟持されている。極薄帯片５は、ファスナー４の雄部２・雌部３よりも可撓性が大きく設定され、自由自在に弯曲して変形可能である。
【００１３】
図２に示すように、極薄帯片５が介在したファスナー４の長手方向の一部位に於て、雄部２と雌部３が正規係合姿勢を保つように、極薄帯片５の厚さ寸法ｔが設定されている。
即ち、極薄帯片５は、厚さ寸法ｔが非常に小さく設定され、雄部２と雌部３の間に挟まれたとしても、係合の邪魔をすることがなく、雄部２と雌部３が係合した状態で、極薄帯片５が雄部２・雌部３に沿ってしなやかに弯曲する。
【００１４】
具体的には、極薄帯片５の厚さ寸法ｔが、１０μｍ〜８０μｍに設定されている。
より好ましくは、極薄帯片５の厚さ寸法ｔは、１５μｍ〜５０μｍに設定されるのが良い。さらに、極薄帯片５の厚さ寸法ｔを２０μｍ〜３０μｍに設定するのが最も好適である。
厚さ寸法ｔが、下限値未満であると、極薄帯片５の引張り強度が低下して、引張力Ｆが付与されると破れてしまう虞れがある。また、極薄帯片５の剛性が確保できず、製造工程に於て、極薄帯片５を袋体１の開口部６に差込むのが難しくなる。
【００１５】
図９には、本発明の収納袋との相違点を説明するために、比較的肉厚の帯片５０をファスナー４に介在させた比較例を示している。
図９に示す比較例では、帯片５０の厚さ寸法ｔ´が、上述の上限値を超えて過大となっており、具体的には、１００μｍ〜１５０μｍに設定されている。
このように、帯片５０の厚さ寸法ｔ´が過大となると、ファスナー４の雄部２と雌部３の間に帯片５０を挟み込む際、帯片５０によって、雄部２の凸条部１２と雌部３の係合凹溝１３に過大な圧縮力が作用して変形が生じ、また、第１突条部２１・第２突条部２２が押し広げられる。こうなってしまうと、雄部２と雌部３を係止させることができなくなり、また、帯片５０を取り除いた後も、雄部２と雌部３に変形の癖が残留して、雄部２と雌部３が係止不能となる。あるいは、雄部２と雌部３が、帯片５０の圧縮力により圧潰して破壊される虞れがある。本発明では、このようなことが発生せず、正規係合姿勢（図２参照）が保たれる。
【００１６】
上述した本発明の収納袋の使用方法（作用）について説明する。
図３に示すように、開口部６に差し込まれた極薄帯片５を、指で掴んで上方へ引張力Ｆを付与すると、係合凹溝１３の一方を形成する袋開口側の第１突条部２１に対し、極薄帯片５から圧縮力Ｐが付与されて弾性変形し、さらに、第１突条部２１は、極薄帯片５に引き擦られて、矢印Ｍにて示す拡開方向（図例では上方）へ移動する。この際、雄部２の凸条部１２にも、極薄帯片５から圧縮力が付与され、かつ、極薄帯片５に引き擦られて凸条部１２が袋開口側へ僅かに傾く。極薄帯片５は、引張力Ｆが付与された際、凸条部１２の先端縁、及び、第１突条部２１の先端縁と接触して、合成樹脂同士の摩擦抵抗が生じる。この摩擦抵抗によって、極薄帯片５に張力Ｔ，Ｔが作用し、極薄帯片５が真っ直ぐに伸びようとして、第１突条部２１及び凸条部１２を押圧する。
図４に示すように、極薄帯片５に引張力Ｆを付与して、第１突条部２１を矢印Ｍ方向にさらに拡開する。極薄帯片５は、張力Ｔ，Ｔによって真っ直ぐに伸びようとして、雄部２と雌部３を離反する方向に押圧し、凸条部１２が第２突条部２２の係止片部２２ａを乗り越えて、雄部２と雌部３の係合を解除する。
次に、図５に示すように、極薄帯片５の押圧力によって、雄部２と雌部３が離反し、凸条部１２が係合凹溝１３から押し出される。そして、極薄帯片５は上方に引き抜かれる。
【００１７】
このようにして、極薄帯片５が介装されていたファスナー４の一部位にて雄部２と雌部３の係合を解除する。次に、図６に示すように、雄部２と雌部３の係合を解除した一部位を起点としてファスナー４の一部を開いて、スライダー８を取付ける。
スライダー８は、閉じたファスナー４を開くための第１スライダー部品１５と、開いたファスナー４を閉じるための第２スライダー部品１６と、から構成されている。
第１スライダー部品１５は、半天井部３０と、半天井部３０の下面中央に垂設され雄部２と雌部３の間に差込まれる小突起部３１と、半天井部３０の下面両側端縁に垂設された一対の側壁部３２，３２とを、有している。なお、側壁部３２，３２が一定の弾性を有するように形成するのが好ましい。
第２スライダー部品１６は、半天井部４０と、半天井部４０の下面に垂設され内側に狭窄部４１が形成される一対の柱部４２，４２と、柱部４２，４２の下端に連結され半天井部４０及び柱部４２，４２と協働して第１スライダー部品１５の側壁部３２，３２を嵌込むための凹部４３，４３を形成する下床片部４４，４４とを、有している。第２スライダー部品１６は、狭窄部４１が、袋体１の開口部６の内面に取着されたファスナー４を、袋体１の外側から押圧して、雄部２と雌部３を係合させるように構成されている。
第１スライダー部品１５に設ける側壁部３２，３２の内側の幅は、第２スライダー部品１６に設ける柱部４２，４２の外側の幅とほぼ同じか僅かに小さく設定されている。
【００１８】
第１スライダー部品１５は、雄部２と雌部３の係合が解除されてファスナー４が開いた所に小突起部３１を差し込んで、小突起部３１と側壁部３２，３２の間隙に雄部２・雌部３を装入するようにして取付ける。第２スライダー部品１６は、ファスナー４が閉じた所に、狭窄部４１が袋体１の開口端縁６ａを挟み込むようにして取付ける。次に、第１スライダー部品１５と第２スライダー部品１６を矢印Ｑのように合体させると、側壁部３２，３２が凹部４３，４３に嵌め込まれて、一体構造のスライダー８となる。なお、図６では、スライダー８を判りやすくするために実際のサイズより若干大きく図示している。
つまり、ファスナー４の一部位にて雄部２と雌部３の係合が解除して、そこを起点としてファスナー４を簡単に開くことが可能となり、係合が解除された雄部２と雌部３の間に小突起部３１を差し込んで第１スライダー部品１５を容易かつ迅速に取付けることができ、スライダー８の取付け作業に掛かる手間を軽減でき、作業能率を向上する。
【００１９】
次に、本発明の収納袋の他の実施形態について説明する。
図７では、袋体１の開口端縁６ａから一定の長さ寸法Ｌの余裕を持たせて、ファスナー４を設けてある。袋体１の開口部６には、ファスナー４の雄部２と雌部３の係合の解除を開始するための極薄帯片５が差し込まれ、ファスナー４の長手方向の一部位に極薄帯片５を介在させている。ファスナー４と開口端縁６ａの中間位置には、吊下げ陳列用の貫通孔９が設けられている。
【００２０】
極薄帯片５は、上述したように、外部からの引張力Ｆが付与されることで、ファスナー４の長手方向の一部位にて、雄部２と雌部３の係合を解除する。
図８に示すように、雄部２と雌部３の係合を部分的に解除して、ファスナー４が開くきっかけを作ることで、開口端縁６ａ，６ａを指で拡げて、容易にファスナー４を開くことが可能となる。
【００２１】
また、収納物未投入状態で、ファスナー４の一部位に極薄帯片５を介在させておけば、雄部２と雌部３の係合を部分的に解除して、そこを起点として雄部２と雌部３の長手方向全体の係合を解除でき、ファスナー４を容易かつ迅速に開くことができる。収納物を投入した後、極薄帯片５を介在させることなくファスナー４を閉じると、雄部２と雌部３の係合を保って閉鎖状態を維持でき、万引き等の犯罪を防止したり、収納物を衛生的に管理することができる。
【００２２】
なお、本発明は、設計変更可能であって、例えば、袋体１の構造は変更可能であって、合成樹脂製のシート材を断面Ｍ字状に折り曲げて２箇所の山折線部を形成し、この山折線部の内面にファスナーを設けたもので良い。即ち、ファスナー４が、開口部の内面に配設される必要はなく、上述の構成に何ら限定されない。また、スライダー８は、上述の構成に限定されるものではなく、変更が可能である。
【００２３】
以上のように、本発明に係る収納袋は、雄部２と雌部３から成るファスナー４を備えている収納袋に於て、外部からの引張力Ｆが付与されて上記ファスナー４の上記雄部２と上記雌部３の係合の解除を開始するための極薄帯片５を、上記ファスナー４の長手方向の一部位に介在させているので、極薄帯片５を引っ張って、閉じたファスナー４が開くきっかけを作ることができる。ファスナー４の長手方向の一部位にて、雄部２と雌部３の係合を解除して、その一部位を起点としてファスナー４全体を容易かつ迅速に開くことができ、手作業の能率を向上できる。また、収納物を入れる際に、ファスナー４を容易かつ迅速に開けることができ、収納物投入作業の時間を短縮できる。犯罪防止や衛生管理を目的として好適に利用できる。
【００２４】
また、上記極薄帯片５が介在した上記ファスナー４の長手方向の上記一部位に於て、上記雄部２と上記雌部３が正規係合姿勢を保つように、上記極薄帯片５の厚さ寸法ｔが設定されているので、極薄帯片５を介在させつつファスナー４を確実に閉じることができ、雄部２と雌部３が係止不能となるのを防止できる。
【００２５】
また、上記極薄帯片５の厚さ寸法ｔが、１０μｍ〜８０μｍに設定されているので、極薄帯片５に可撓性を持たせることができ、雄部２・雌部３に沿ってしなやかに弯曲させることができる。極薄帯片５の引張り強度を確保でき、引張力Ｆが付与されても破れることがなく、雄部２と雌部３の係合を確実に解除できる。また、極薄帯片５の剛性を保つことができ、製造工程に於て、極薄帯片５をファスナー４に容易に差込むことができる。ファスナー４の雄部２と雌部３に過大な圧縮力を作用させることがなく、雄部２と雌部３を圧潰・破壊せずにファスナー４を閉じることができ、雄部２と雌部３が係止不能となるのを防止できる。
【符号の説明】
【００２６】
１Ａ  表て面シート
１Ｂ  裏面シート
２  雄部
３  雌部
４  ファスナー
５  極薄帯片
６  開口部
６ａ  開口端縁
８  スライダー
Ｆ  引張力
ｔ  厚さ寸法
【要約】
【課題】閉じたファスナーを容易かつ迅速に開くことのできる収納袋を提供する。
【解決手段】雄部と雌部から成るファスナー４を設けた収納袋に於て、外部からの引張力が付与されてファスナー４の雄部と雌部の係合の解除を開始するための極薄帯片５を、ファスナー４の長手方向の一部位に介在させている。
【選択図】図１【図１】
0005945360.tif 000002
【図２】
0005945360.tif 000003
【図３】
0005945360.tif 000004
【図４】
0005945360.tif 000005
【図５】
0005945360.tif 000006
【図６】
0005945360.tif 000007
【図７】
0005945360.tif 000008
【図８】
0005945360.tif 000009
【図９】
0005945360.tif 000010